(57)【要約】【目的】飾り部材が軸体に強固に固定され、軸体との間に複雑な稜線で合致できるデザイン性に富んだ飾り部品の固定構造を容易に提供可能とする。【構成】係止部を有する飾り部品のその係止部を軸体の略後端部に設けられた装着部に弾性的に係止固定する構造の筆記具に於ける飾り部品の固定構造であって、軸体は、後端部やや前方中央の仕切り部に所要箇所の挿入口が設けられた筒体で、仕切り部の後方両側に軸体外周面に沿った壁部が盾状に形成されると共に、挿入口の前端側に前記装着部となる内段部が設けられ、一方飾り部品は、前記仕切り部に前端を当接する段部と、その後方に前記壁部と壁部の間に挿着すると共に、壁部の外周部稜線に沿った稜線を備えた天冠部を有し、天冠部と一体で前記段部の前方に軸体の挿入口に嵌入する所要数の挿入片と、その挿入片の外面に軸体の内段部に係合する係止突起が設けられてなる。【選択図】            図２
2004223721.tif 000002
【特許請求の範囲】
【請求項１】
係止部を有する飾り部品のその係止部を軸体の略後端部に設けられた装着部に弾性的に係止固定する構造の筆記具に於ける飾り部品の固定構造であって、
軸体は、後端部やや前方中央の仕切り部に所要箇所の挿入口が設けられた筒体で、仕切り部の後方両側に軸体外周面に沿った壁部が盾状に形成されると共に、挿入口の前端側に前記装着部となる内段部が設けられ、
一方飾り部品は、前記仕切り部に前端を当接する段部と、その後方に前記壁部と壁部の間に挿着すると共に、壁部の外周部稜線に沿った稜線を備えた天冠部を有し、天冠部と一体で前記段部の前方に軸体の挿入口に嵌入する所要数の挿入片と、その挿入片の外面に軸体の内段部に係合する係止突起が設けられてなることを特徴とする筆記具に於ける飾り部品の固定構造。
【請求項２】
軸体の後端部やや前方中央に、筒状部が軸体内壁と一体に接続されて設けられると共に、その筒状部の外周と仕切り部の間に挿入口が形成され、飾り部品の挿入片の内面が前記筒状部の外周面に縮径方向に拘束されるように設けられてなる請求項１に記載の筆記具に於ける飾り部品の固定構造。
【請求項３】
仕切り部の略前方でクリップを係止固定する取付け部が軸体の外面に突設して設けられたことを特徴とする請求項１に記載の筆記具に於ける飾り部品の固定構造。
【発明の詳細な説明】
【０００１】
【産業上の利用分野】
本発明は、樹脂成形品からなる筆記具の軸体等にクリップを固定する構造に関する。
【０００２】
【従来の技術】
【特許文献１】特開平９−３９４７８
【特許文献２】特開２００１−１８５８１
従来、キャップ本体の後端開口部に装飾性を主目的とした部材を弾性的に固定したものが知られている。
【特許文献１】には、キャップ本体の後端にＵ字状の開口形状に設けられた装着口に掛止口が形成され、Ｕ字状に形成された駒体のＵ字状両端部の内側に掛止爪が形成されて、掛止口に掛止爪を弾性的に掛止させ、キャップ本体の装着口に駒体を合致させた状態で嵌着させたものが示されている。
しかしながら、この場合、Ｕ字状の駒体がキャップ本体のＵ字状装着口に外嵌された状態に掛止されるので駒体が横方向にこじられた際に外れやすい欠点が存在する。
【特許文献２】には、キャップ本体の上端部に頭冠を取り付けた筆記具のキャップが示されており、請求項１に、頭冠が、キャップ本体の上端部より露出する基部と、該基部から下方に一体に延設された一対の挿入片とを備え、前記挿入片の相互間に軸方向のスリットを設けると共に前記挿入片の各々の外面に係止突起を設け、一方、前記キャップ本体の上端部に突出部と該突出部を包囲する円筒部とを一体に突設し、前記円筒部内面に一対の係止孔を設けると共に前記突出部外面に一対のガイド凸部を設け、前記突出部と前記円筒部の間の環状隙間に前記頭冠の挿入片を挿入した際、前記係止突起を前記係止孔に係合させると共に前記ガイド凸部を前記スリット内に圧入させてなるが記載されている。
しかしながら、この場合、キャップ本体に頭冠が強固に固着可能になるもののキャップ本体の係止孔から頭冠の係止突起が露出した状態となり、装飾効果の一例ではあるが、このような形で露出部を設けたくないデザインの場合に不都合となる問題がある。
【０００３】
【発明が解決しようとする課題】
本発明は、上述した従来例の問題を解決することと、キャップや軸筒の後端にデザイン性に富み、キャップや軸筒との間に複雑な稜線で合致できる飾り部品の固定構造を容易な手段で提供可能とする。
【０００４】
【課題を解決するための手段】
本発明は、上記課題を達成する為に以下の構成を有する。
請求項１に記載の発明に係る筆記具に於ける飾り部品の固定構造は、筆記具の係止部を有する飾り部品のその係止部を軸体の略後端部に設けられた装着部に弾性的に係止固定する構造の筆記具に於ける飾り部品の固定構造であって、軸体は、後端部やや前方中央の仕切り部に所要箇所の挿入口が設けられた筒体で、仕切り部の後方両側に軸体外周面に沿った壁部が盾状に形成されると共に、挿入口の前端側に前記装着部となる内段部が設けられ、一方飾り部品は、前記仕切り部に前端を当接する段部と、その後方に前記壁部と壁部の間に挿着すると共に、壁部の外周部稜線に沿った稜線を備えた天冠部を有し、天冠部と一体で前記段部の前方に軸体の挿入口に嵌入する所要数の挿入片と、その挿入片の外面に軸体の内段部に係合する係止突起が設けられてなる。
【０００５】
請求項２に記載の発明に係る筆記具に於ける飾り部品の固定構造は、請求項１に記載の筆記具に於ける飾り部品の固定構造に於いて、軸体の後端部やや前方中央に、筒状部が軸体内壁と一体に接続されて設けられると共に、その筒状部の外周と仕切り部の間に挿入口が形成され、飾り部品の挿入片の内面が前記筒状部の外周面に縮径方向に拘束されるように設けられてなる。
【０００６】
請求項３に記載の発明に係る筆記具に於ける飾り部品の固定構造は、請求項１に記載の筆記具に於ける飾り部品の固定構造に於いて、軸体の仕切り部の略前方でクリップを係止固定する取付け部が軸体の外面に突設して設けられたことを特徴とする。
【０００７】
【実施例】
筆記具のデザイン仕様の１つとして射出成形等からなる樹脂成形品の軸体、天冠、クリップ、機構部、その他飾りなどを複雑な形状や透明、着色透明、種々の色などを組み合わせて構成することが人気となっている。
本発明は、上記のようなデザイン仕様を満足させると共に上述した従来技術による問題点を克服する筆記具のクリップの固定構造を提案するものである。
図１に示す実施例の軸体２は、ボールペン等筆記具の筆記先端部を後端閉塞状のインナーキャップで被覆して取り付けられるキャップの形態を示しているが、本発明の意図する軸体はボールペンやサインペンなどの一般的な筆記具に使用される軸筒やキャップとなるものである。
【０００８】
以下、図面に基づき本発明の一実施例について説明する。
図２乃至図４は、軸体２にクリップ３を固着し、且つ軸体後端に飾り部品４を固定したキャップ（完成品）を示している。図５は軸体２の断面図である。
図６乃至図９は、軸体２の後端に固定する飾り部品４を示している。また、図１０は、軸体２に飾り部品４を固定して、後端側から見た図を示している。
【０００９】
軸体２は、後端部やや前方中央の仕切り部２ｋに所要箇所の挿入口２ｍ（実施例では２箇所の挿入口が設けられている。）が設けられた筒体で、仕切り部２ｍの後方両側に軸体外周面に沿った壁部２ｉが盾状に形成されると共に、挿入口２ｍの前端側に前記装着部となる内段部２ｎが設けられている。
また、壁部２ｉの内面には適宜凸面部と凹面部を設けて、その境界に係合段部２ｏが形成されている。
【００１０】
一方飾り部品４は、軸体２の仕切り部２ｍに前端を当接する段部４ｂａ、段部４ｂｂと、その後方に軸体の壁部２ｉと壁部２ｉの間に挿着すると共に、壁部２ｉの外周部稜線に沿った稜線を備えた天冠部４ａを有し、天冠部４ａと一体で前記段部４ｂａ、４ｂｂの前方に軸体の挿入口２ｍに嵌入する所要数（実施例では２本）の挿入片４ｃと、その挿入片４ｃの外面に軸体の内段部２ｎに係合する係止突起４ｄが設けられている。
また、軸体の壁部２ｉと壁部２ｉの間に挿着する天冠部４ａの上方側壁部４ｅには適宜凸面部と凹面部が設けられて、その境界に係合段部４ｆが形成されており、上記軸体２の係合段部２ｏと迎合して係合するように設けられている。
このことにより、飾り部品４に横方向の外力が懸かっても一層強固に係合されて、軸体から飾り部材が外れる問題は皆無となる。
【００１１】
また、図１１及び図１２はクリップの形態を示している。クリップ３は、クリップ片３ａの前端内面側に玉部３ｂを有し、後端に基部３ｃを有している。基部３ｃには、上面３ｄに対し両側に垂直（箱形）の側面部が設けられており、また側面部の端面は滑らかな曲線となった稜線部３ｅ（無論直線でもよい）が形成されている。  また、上面３ｄの後端から前方に向かって切欠部３ｆが設けられると共に、端面３ｈ前方の切欠部周面に係止凹凸部３ｇが形成されている。
係止凹凸部３ｇは、後述する軸筒の材質やクリップの取付け部の形状に合わせて、装着が容易で、且つ強固な固定が期待できる形状が設定される。
クリップ３が金属製の場合には、実施例に示される凹凸形状や鋸刃状の凹凸部が形成され、クリップ片の材質や板厚等を勘案して係合代となる凹凸部の寸法が設定される。また、クリップ３が樹脂製の場合には、実施例に示される凹凸形状に限定されず、装着性や固定性を配慮して設定される。
【００１２】
ところで、軸体の取付け部２ａには、上端に横断面形状が略Ｔ字状を呈した天井部２ｂと心壁部２ｅが形成され、その心壁部２ｅの後端に当接部２ｈが設けられている。また心壁部の両側に天井部２ｂの内段となる上壁部２ｃと下壁部２ｄとの間で係合溝２ｆが形成され、更に心壁部２ｅの両側面に係止凹凸部２ｇが形成されている。
【００１３】
尚、前記係止凹凸部２ｇは必ずしも形成されない。クリップが樹脂製である場合には相互に設けられた係止凹凸部が噛合うように係合して、係合部に過度の応力を懸けないで固定する有効な手段として用いられるが、クリップが金属製の場合にはクリップの係止凹凸部を心壁部に食いつかせることでクリップ基部や軸体取付け部に加わる過度の変形を避けることが望ましい場合もある。
また、相互に設けられた係止凹凸部の高低差を微小にして多数設け、係合精度を上げることも可能である。
【００１４】
また、クリップ３は、後端の切欠部３ｆを軸体の取付け部２ａの心壁部２ｅに嵌挿する状態で軸体に装着され、クリップの端面３ｈが取付け部２ａの当接部２ｈに当接すると共に、クリップの係止凹凸部３ｇと取付け部の係止凹凸部２ｇが係合し、クリップ基部上面の切欠部３ｆの周縁が軸体取付け部の係合溝２ｆに係止された状態で固定される。
また、係合溝２ｆの溝幅に対してクリップ基部上面の切欠部周縁厚みは略同等に形成されるが、係合溝２ｆの長手方向で係合溝２ｆを形成する上壁部２ｃあるいは下壁部２ｄの所要箇所に凸部を形成して、その部位の溝幅をクリップの切欠部周縁厚みに対し適宜小さくして、クリップの切欠部周縁と係合溝２ｆとの係止を強化することができる。
また、クリップの切欠部周縁の所要箇所をクリップの上面３ｄに対し微小で上側又は下側に変形あるいは上下交互に変形させて、クリップの切欠部周縁と係合溝２ｆとの係止を強化することも可能である。
【００１５】
また、軸体の取付け部２ａの天井部２ｂは、クリップ３の切欠部３ｆを完全に覆った状態に設けられ、クリップ後端の上面３ｄに突出して装飾性を有した様々な形状を具現することが可能となる。
【００１６】
【作用】
以上のように、本発明筆記具に於ける飾り部品の固定構造は、飾り部品４の天冠部４ａ前端の段部４ｂａ、４ｂｂが軸体の仕切り部２ｋに当接し、天冠部４ａと一体で段部４ｂａ、４ｂｂの前方に延出して設けられた挿入片４ｃが軸体２の挿入口２ｍに嵌入すると共に弾性変形して、その挿入片４ｃの外面に設けられた係止突起４ｄが軸体２の内段部２ｎに係止固定されるので、天冠部４ａに横方向の外力が懸かっても挿入片４ｃが軸体仕切り部の挿入口２ｍで拘束されて、挿入片４ｃの縮径方向の変形が防止され、軸体２から飾り部品４が外れるのが防止される。また、キャップや軸筒の後端にキャップや軸筒との間に複雑な稜線で合致できる飾り部品が容易に固定できる。
【００１７】
【発明の効果】
本発明は、飾り部品の天冠部に横方向の外力が懸かっても、飾り部品の挿入片が軸体仕切り部の挿入口で拘束されて、挿入片の縮径方向の変形が防止され、軸体から飾り部品が外れるのが防止可能となる。また、キャップや軸筒の後端にデザイン性に富み、キャップや軸筒との間に複雑な稜線で合致できる飾り部品の固定構造を容易な手段で提供可能となる。
また、取付け部の天井部がクリップ後端の上面に突出して、様々な装飾性を有した形状が具現化可能となる。
【図面の簡単な説明】
【図１】本発明の筆記具のクリップの固定構造を用いた筆記具の一実施例を示す半断面図である。（軸体２は透明樹脂）
【図２】図１に示す実施例のキャップの断面図である。
【図３】図１に示す実施例のキャップの側面図である。
【図４】図１に示す実施例のキャップの正面図である。
【図５】軸体の断面図である。
【図６】飾り部品の断面図である。
【図７】飾り部品の側面図である。
【図８】飾り部品の前面を示す図である。
【図９】飾り部品の後面を示す図である。
【図１０】図５の後端側から見た図である。
【図１１】クリップの側面図である。
【図１２】クリップの正面図である。
【図１３】軸体のクリップ取付け部の側面を拡大して示した図である。
【符号の説明】
１          筆記具
２          軸体
２ａ      取付け部
２ｂ      天井部
２ｃ      上壁部
２ｄ      下壁部
２ｅ      心壁部
２ｆ      係合溝
２ｇ      係止凹凸部
２ｈ      当接部
２ｉ      壁部
２ｊ      開口部
２ｋ      仕切り部
２ｌ      インナーキャップ
２ｍ      挿入口
２ｎ      内段部
２ｏ      係合段部
３        クリップ
３ａ      玉部
３ｂ      玉部
３ｃ      基部
３ｄ      上面
３ｅ      稜線部
３ｆ      切欠部
３ｇ      係止凹凸部
３ｈ      端面
３ｉ      前端
４        飾り部品
４ａ      天冠部
４ａａ    天冠部前面
４ａｂ    天冠部後面
４ｂａ    段部
４ｂｂ    段部
４ｃ      挿入片
４ｄ      係止突起
４ｅ      側壁部
４ｆ      係合段部
【図１】
2004223721.tif 000003
【図２】
2004223721.tif 000004
【図３】
2004223721.tif 000005
【図４】
2004223721.tif 000006
【図５】
2004223721.tif 000007
【図６】
2004223721.tif 000008
【図７】
2004223721.tif 000009
【図８】
2004223721.tif 000010
【図９】
2004223721.tif 000011
【図１０】
2004223721.tif 000012
【図１１】
2004223721.tif 000013
【図１２】
2004223721.tif 000014
【図１３】
2004223721.tif 000015